(57)【要約】【課題】持ち運びやすいゴルフバッグを提供すること。【解決手段】この課題は、上部と、底部と、長手方向軸を取り囲む４つの側面を有する細長型ゴルフバッグによって解決される。前側面はそれから前方に延在する前側ポケットを有する。右ポケットと左ポケットは、右側面及び左側面からそれぞれ延在し、両方とも前側面の前方に向かってさらに延在する。ポケットは、長手方向軸の前方で開くことができるジッパー軌道を備える。硬質基部カバーは底部を囲み、水平面に置かれた場合、水平面から上昇した位置で底部を保持する。【選択図】図３
2018122088.tif 000002
【特許請求の範囲】
【請求項１】
上部と、底部と、長手方向軸を取り囲む４つの側面とを有する細長型ゴルフバッグであって、
前方に延在する前側ポケットを有する前側面；
後側面；
右側面から延在する右ポケットを有する右側面；
左側面から延在する左ポケットを有する左側面；
前記右側ポケット内に組み込まれた第１右側ポケットジッパー軌道；
前記左側ポケット内に組み込まれた第１左側ポケットジッパー軌道；ここで、前記右側及び左側ポケットジッパー軌道は、前方に面しかつ前記バッグの前記前側面からアクセス可能に配置され；
前記底部を囲む硬質基部であって、水平面に配置されたときに前記底部を前記水平面から上昇させた位置で保持する基部
を備えるゴルフバッグ。
【請求項２】
前記第１右側ポケットジッパー軌道が前記長手軸方向に実質的に沿って前記第１右側ポケットジッパー軌道を開くよう動作可能な第１右側ポケットジッパー引手を備え、
前記第１左側ポケットジッパー軌道が前記長手軸方向に実質的に沿って前記第１左側ポケットジッパー軌道を開くよう動作可能な第１左側ポケットジッパー引手を備える、
請求項１に記載の細長型ゴルフバッグ。
【請求項３】
前記右側ポケットが前記前側面に向かってさらに延在し、
前記左側ポケットが前記前側面に向かってさらに延在する、
請求項２に記載の細長型ゴルフバッグ。
【請求項４】
前記後側面が後側取手と複数の結合部材とを備え、前記複数の結合部材はショルダーハーネスを装着するよう動作可能である、請求項３に記載の細長型ゴルフバッグ。
【請求項５】
前記上部が、前記右側面上方に向けられた第１上側取手と、前記左側面上方に向けられた第２上側取手と、ゴルフクラブを前記ゴルフバッグに挿入するための複数の開口部とを備える、請求項４に記載の細長型ゴルフバッグ。
【請求項６】
前記右側ポケットは、第１右側サブポケットジッパー軌道を有する第１右側サブポケットであって、前記第１右側サブポケットジッパー軌道が前記長手方向軸に実質的に沿って前記第１右側サブポケットジッパー軌道を開くよう動作可能な第１右側サブポケット引手を有する第１右側サブポケットと、第２右側サブポケットジッパー軌道を有する第２の右側サブポケットであって、前記第２右側サブポケットジッパー軌道が前記長手方向軸に実質的に沿って前記第２右側サブポケットジッパー軌道を開くよう動作可能な第２右側サブポケット引手を有する第２右側サブポケットとを備え、前記第１右側サブポケットジッパー軌道及び前記第２右側サブポケットジッパー軌道の少なくとも１つが前方に面しかつ前記バッグの前記前側面からアクセスできるように配置される、請求項５に記載の細長型ゴルフバッグ。
【請求項７】
前記左側ポケットは、第１左側サブポケットジッパー軌道を有する第１左側サブポケットであって、前記第１左側サブポケットジッパー軌道が前記長手方向軸に実質的に沿って前記第１左側サブポケットジッパー軌道を開くよう動作可能な第１左側サブポケット引手を有する第１左側サブポケットと、第２左側サブポケットジッパー軌道を有する第２左側サブポケットであって、前記第２左側サブポケットジッパー軌道が前記長手方向軸に実質的に沿って前記第２左側サブポケットジッパー軌道を開くよう動作可能な第２左側サブポケット引手を有する第２左側サブポケットとを備え、前記第１左側サブポケットジッパー軌道及び前記第２左側サブポケットジッパー軌道の少なくとも１つが前方に面しかつ前記バッグの前記前側面からアクセスできるように配置される、請求項６に記載の細長型ゴルフバッグ。
【請求項８】
前記右側面が前記右側ポケット上方に着脱可能な右側ポケットを備え、前記左側面が前記左側ポケット上方に着脱可能な左側ポケットを備える、請求項７に記載の細長型ゴルフバッグ。
【請求項９】
前記前側面が前記前側ポケット下方に前側取手をさらに備える、請求項８に記載の細長型ゴルフバッグ。
【請求項１０】
前記右側面、左側面及びショルダーストラップが全て所定のデザインを含む平坦な表面を有する、請求項９に記載の細長型ゴルフバッグ。
【請求項１１】
前記基部カバーが前記基部から下方に延在し、中空の中心凹部を画定する周囲リムを備える、請求項１０に記載の細長型ゴルフバッグ。
【請求項１２】
複数のグリップ脚部が前記リムから下方に延在し、前記グリップ脚部は前記水平面から前記リムを上昇させることができる、請求項１１に記載の細長型ゴルフバッグ。
【請求項１３】
上部と、底部と、長手方向軸を取り囲む４つの側部面とを有するゴルフバッグであって、
前方に延在する前側ポケットを有する前側面；
後側取手と着脱可能なショルダーハーネスとを有する後側面；
右ポケットが延在する右側面であって、第１右側サブポケットと第２右側サブポケットとを有する右側面；
左ポケットから延在する左側面であって、第１左側サブポケットと第２左側サブポケットとを有する左側面；
前記前側面の前方位置で前記右側ポケットに固定された第１右側ポケットジッパー軌道であって、前記長手方向軸に実質的に沿って前記第１右側ポケットジッパー軌道を開くように動作可能な第１右側ポケットジッパー引手を有する第１右側ポケットジッパー軌道；
前記前側面の前方位置で前記左側ポケットに固定された第２左側ポケットジッパー軌道であって、前記長手方向軸に実質的に沿って前記第２左側ポケットジッパー軌道を開くよう動作可能な第２左側ポケットジッパー引手を有する第２左側ポケットジッパー軌道；
を備え、前記右側ポケットジッパー軌道及び前記左側ポケットジッパー軌道が前方に面しかつ前記バッグの前記前側面からアクセスできるように配置される、ゴルフバッグ。
【請求項１４】
前記第１右側サブポケットが前記ゴルフバッグの前記前側面の前方に向けられた第１右側サブポケットジッパー軌道と、前記長手軸方向に実質的に沿って前記第１右側サブポケットジッパー軌道を開くように動作可能な第１右側サブポケット引手とを備え、
前記第１左側サブポケットが前記ゴルフバッグの前記前側面の前方に向けられた第１左側サブポケットジッパー軌道と、前記長手軸方向に実質的に沿って前記第１左側サブポケットジッパー軌道を開くように動作可能な第１左側サブポケット引手とを備える、
請求項１３に記載のゴルフバッグ。
【請求項１５】
前記第２右側サブポケットが前記ゴルフバッグの前記前側面の前方に向けられた第２右側サブポケットジッパー軌道と、前記長手軸方向に実質的に沿って前記第２右側ポケットジッパー軌道を開くように動作可能な第２右側サブポケット引手とを備え、
前記第２左側サブポケットが前記ゴルフバッグの前記前側面の前方に向けられた第２左側サブポケットジッパー軌道と、前記長手軸方向に実質的に沿って前記第２左側ポケットジッパー軌道を開くように動作可能な第２左側サブポケット引手とを備える、
請求項１４に記載のゴルフバッグ。
【発明の詳細な説明】
【技術分野】
【０００１】
１．技術分野
本発明は、ゴルフバッグに関し、特には、ゴルフカートと共に使用するように設計されたゴルフバッグに関する。
【背景技術】
【０００２】
２．背景技術
ゴルフは一般的には楽しむことのできる素晴らしいゲームである。しかしながら、多くのゴルファーにとって、扱いにくいゴルフバッグを持ち運ぶという労力により美しいコースの素敵な散歩が台無しになる可能性がある。ゴルファーとゴルフバッグとの相性が悪いことによりこの問題が悪化し、それによってゴルファーのプレイに影響する注意力の散漫、楽しみの喪失及び筋肉疲労につながる場合がある。すなわち、ゴルフバッグは楽しさだけでなく、パフォーマンスにも直接影響を与える用品である。
【０００３】
多くのゴルファーは、ゴルファーが自分のゴルフバッグを持ち運ぶのに必要な時間を最小限に抑えるゴルフカートをレンタルすることを決める。多くのゴルファーがゴルフカートをレンタルするという事実にもかかわらず、ほとんどのゴルフバッグは、ゴルフカートに載せるときに使用するのが便利なようには設計されていない。このように、ゴルフバッグをゴルフカートに載せている間にゴルファーがティー、グローブ、ディボットツール及び飲料などのいくつかのゴルフ用品を自由に利用することが困難な場合がある。
【０００４】
さらに、ゴルフカートを使用するとゴルフバッグの持ち運びに費やす時間を最小限にするが、その時間が完全になくならない場合が多い。例えば、ゴルファーは依然としてコースと自身のゴルフカートとの間でゴルフバッグを運ぶ必要がある。また、ゴルファーは、ゴルフコースでのプレイ中に、自分のゴルフバッグをゴルフカートから取り出して、様々な地点に運ぶこともが必要な場合も多い。例えば、多くのゴルフコースには、ゴルフカートを禁止する指定区域がある。ゴルファーが禁止区域からショットする必要がある場合には、ゴルファーはボール位置まで歩く前にクラブを選択したり、ゴルフカートからゴルフバッグを取り出して持ち運ばなければならない。残念なことに、ゴルフバッグはゴルフカートから容易に持ち上げたり取り出したりして運ぶには不便及び／又は厄介な場合がある。
【発明の概要】
【０００５】
本発明は、ゴルフカートに載せられているときでも効果的に使用できるゴルフバッグを含む。さらに、本発明は、持ち上げ及び持ち運びに便利なゴルフバッグを提供する。最後に、本発明は、ゴルフカートから容易に取り出し、又はゴルフカートに載せることができるゴルフバッグを提供する。
【０００６】
開示されたシステムが属する当業者がその製造及び使用方法をより容易に理解できるように、以下の図面を参照することができる。
【図面の簡単な説明】
【０００７】
【図１】図１は、典型的なゴルフカートの斜視図である。
【図２】図２は、本発明に係るゴルフバッグを載せたゴルフカートの斜視図である。
【図３】図３は、本発明に係るゴルフバッグの右前側面の斜視図である。
【図４】図４は、本発明に係るゴルフバッグの左前側面の斜視図である。
【図５】図５は、本発明に係るゴルフバッグの左後側面の斜視図である。
【図６】図６は、本発明に係るゴルフバッグ用ゴルフハーネスの正面図である。
【図７】図７は、本発明に係るゴルフバッグの底部図である。
【図８】図８は、本発明に係るゴルフバッグ用の着脱可能なポケットの正面図である。
【発明を実施するための形態】
【０００８】
本発明は、ゴルフバッグ及びゴルフバックとゴルフカートとの適合性に関連する多くの先行技術の問題を克服する。当業者であれば、本明細書で開示される技術の利点及び他の特徴は、本発明の代表的な実施形態を示し図面と併せて、特定の好ましい実施形態についての以下の詳細な説明を参照すれば明らかであろう。図面において、同様の符号は同様の構造要素を示す。上方、下方、上側、下側、水平、垂直、左側、右側などの全ての基準は、図面における一視点に基づく要素の一つの位置を指すのに使用する任意の用語であり、本発明の範囲を限定するものではない。
【０００９】
簡潔に概説すると、本発明は、ゴルフカートと共に又はゴルフカートなしで便利で快適に使用するために設計されたゴルフバッグである。このバッグは、持ち上げて素早く動かすことが容易であり、持ち運びが快適で、且つ、ゴルフカートにしっかりと固定する場合でも全ての収納ポケットをフルに利用することが可能である。
【００１０】
ここで図１を参照すると、典型的なゴルフカートの斜視図が全体的に１００で示されている。ゴルフカート１００は、ゴルファーがゴルフコース全体を通して運転するように設計されている。ゴルフカート１００の後部１０２は、ゴルフバッグ１２０を取り出し可能に載せるように設計されている（すなわち、図２参照）。この目的のために、後部１０２は、２つのゴルフバッグを支持するためのステージングプラットフォーム１０４を備える。このステージングプラットフォームは２つの凹部１０６、１０８を有し、その各々は、ゴルフバッグ１２０の底部を固定するように成形されている。後部１０２には、２つのハーネス１１０、１１２が固定され、その各々は、ゴルフバッグ１２０を囲んで締められてゴルフバッグ１２０をゴルフカート１００の後側に固定することができる。他の実施形態では、ハーネス１１０、１１２は半円形のホルダとすることができ、ストラップ（図示せず）がホルダの端部から延在することができる。バッグ１２０がプラットホーム１０４上に配置されてホルダ内に納められると、ストラップは、バッグ１２０の後側取手又は他の固定部分を通って送り出されて、バッグをゴルフカート１００の後側に固定することができる。
【００１１】
ここで図２を参照すると、本発明に係るゴルフバッグ１２０がゴルフカート１００に置かれている状態が示されている。ゴルフバッグ１２０は、ゴルフクラブを中に入れることができるように、長手方向軸「ａ」に沿って上部１２２と底部１２４の間にある細長い形態である。４つの側面１２６、１２８、１３０、１３２が長手方向軸「ａ」を囲み、中央のゴルフクラブハウジングを画定する。バッグ１２０がゴルフカート１００上に配置されると、底部１２４がステージングプラットフォーム１０４に着座し、前側面１２６がカート１００から外側方向に面する状態となる。ハーネス１１０が前側面１２６周囲を包囲してバッグ１２０をカート１００にしっかり保持する。ゴルフバッグ１２０の上部１２２は、複数の開口部又はスロット１３４（バッグの上部開口にわたって延在するクラブ仕切りによって画定される）を備え、そこを通してゴルファーがゴルフクラブをゴルフバッグ１２０に挿入することができる。
【００１２】
ここで図３を参照すると、本発明に係るゴルフバッグ１２０が、前側面１２６及び右側面１２８が前方を向いている状態で示されている。バッグ１２０は、バッグ１２０の前側面１２６から延在する前側ポケット１３６を有する。前側ポケット１３６は、前側ジッパー軌道１４４に沿って２つのジッパー引手１４０、１４２を有するジッパー１３８を備える。ジッパー軌道１４４は、前側面１２６から最も遠い領域において前側ポケット１３６に沿って延在し、略楕円形のフラップ１４６を形成する。図示のとおり、ポケット１３６は閉じられて固定される。しかしながら、ジッパー１３８はフラップ１４６を開くように動作可能であり、ユーザがポケット１３６の内部にアクセスして中身を保存し又は取り出すことができる。ここで説明するポケット１３６、引手１４０、１４２及びジッパー軌道１４４の構成のため、ゴルファーは、ゴルフバッグ１２０がゴルフカート１００に固定されているときであっても、前側ポケット１３６の内部に自由にアクセスすることができる（すなわち、図２参照）。様々な実施形態では、以下に説明する他のポケットに関するジッパー構成から分かるように、前側ポケット１３６は１つのジッパーを有してもよく、及び／又はジッパー軌道は前側ポケット１３６に沿って異なる方向に向いていてもよい。また、前側ポケット１３６は楕円形で示されているが、前側ポケット１３６は、例えば、円形、正方形、長方形などの任意の好適な形状を有することができると理解すべきである。
【００１３】
さらに図３を参照すると、ゴルフバッグ１２０の右側面１２８は右側ポケット１４８ａを備える。右側ポケット１４８ａは、バッグ１２０の右側面１２８から外側に延在している。右側ポケット１４８ａの最前部１５０ａは、前側面１２６の前方に延在している。第１右側ポケットジッパー１５２ａは、右側ポケット１４８ａに沿って延在するジッパー軌道１５４ａを有する。この軌道１５４ａは、長手方向軸「ａ」に略平行に延在し、上方部分１５６ａは、長手方向軸「ａ」に向かって内側に折れ曲がって（ネッキングして）いる。このときに、右側ポケット１４８ａは閉鎖位置にある。ポケットジッパー１５２ａは、バッグ１２０をジッパー軌道１５４ａに沿って開くよう動作可能な引手１５８ａを有し、右側ポケット１４８ａの内部にアクセスすることを可能にする。ジッパー軌道１５４ａは前方に面しているので、バッグがカートに固定されているときでもポケットに容易にアクセスできる（図２）。
【００１４】
また、右側ポケット１４８ａは、第１及び第２右側サブポケット１６０ａ、１６２ａを備え、その両方は右側ポケット１４８ａの内部に小さなポケットを形成する。それぞれのサブポケット１６０ａ、１６２ａは、内部パネル（図示せず）によって画定された離間した別個の区画である。第１右側サブポケット１６０ａは、長手方向軸「ａ」に略平行に走るジッパー軌道１６６ａジッパー１６４ａを備え、上方部分１６８ａが長手方向軸「ａ」に向かって内側に折れ曲がって（ネッキングして）いる。第２右側サブポケット１６２ａは、長手方向軸「ａ」に略に平行に走るジッパー軌道１７２ａを有するジッパー１７０ａを備える。右側サブポケットジッパー１６４ａ、１７０ａは、両方とも、サブポケット１６０ａ、１６２ａが略長手方向軸「ａ」に沿って開くことを可能にする引手１７４ａ、１７６ａを有し、それぞれのポケット１６０ａ、１６２ａの内部へのアクセスが可能である。図示のとおり、右側サブポケット１６０ａ、１６２ａの両方は閉鎖位置にある。
【００１５】
ここで図２及び３を参照すると、ゴルフバッグ１２０がゴルフカート１００に置かれたときに、右側ポケット１４８ａに沿って延在する全てのジッパー軌道１５４ａ、１６６ａ、１７２ａは、前側面１２６と長手方向軸「ａ」の同一の側において、ゴルフカート１２０の後部１０２から離間して配置される。実際に、図示した実施形態では、ジッパー軌道１５４ａ、１６６ａ、１７２ａは、ゴルフバッグ１２０の前側面１２６の正面でほぼ全体的に延在している。したがって、ゴルフバッグ１２０がカート１００に載せられているときであっても、ゴルファーは、右側ポケット１４８ａ及び右側サブポケット１６０ａ、１６２ａの内部にアクセスして物品を収容し又は取り出すことができる。このように、ゴルファーがゴルフバッグ１２０内に収納された物品にアクセスしたい場合に、ゴルファーは、ゴルフバッグ１２０をすでにしっかりと装着した後に、ゴルフバッグをゴルフカート１００から取り出し、又はゴルフバッグ１２０をねじる及び回す必要がない。さらに、複数のポケットを備えることにより、ゴルファーは物品を別々に保持することができる。例えば、ゴルファーは、右側ポケット１４８ａに飲料水ボトルを入れ、第１右側サブポケット１６０ａにゴルフボールを入れ、第２右側サブポケット１６２ａにゴルティーを入れることができる。
【００１６】
なお、この特定の図面には、ゴルフバッグ１２０の左側面１３０が示されていないが、左側面１３０は右側面１２８の左右対称である。したがって、様々な実施形態では、左側面は、右側面で示された様々な構成要素の一部又は全部を有してもよく、その逆であってもよい。例えば、ここで図４を参照すると、ゴルフバッグの左側面が示されており、図４において、同様の符号は図３に関して説明された同様の構成要素を特定する。したがって、図４に示すように、ゴルフバッグ１２０は、図３での右側面に関して示された全ての特徴を有する。さらに、バッグ１２０の右側面１２８上の構成要素に関する全ての方向は、バッグ１２０の左側面１３０上の構成要素についても同様にあてはまる。
【００１７】
図２〜５を参照すると、ゴルフバッグは、バッグ１２０を容易に持ち上げ、回転させ又そうでなければ操作することを可能にする取手１８０、１８２を備える。この目的のために、上部１２２は２つの取手１８０、１８２を有し、一方の取手１８０は、バッグ１２０の上部１２２から右側面１２８上方に延在し、他方はバッグ１２０の上部１２２から左側面１３０上方に延在している（図２参照）。バッグ１２０は、１４箇所のトップカフ１２２から延在する２つの取手１８０、１８２を有するように示されており、トップカフ１２２において、クラブ仕切りがゴルフクラブ（図示せず）を保持するための１４個の別個のチャンネル又はスロット１３４を形成している。各スロット１３４は、１本のクラブを別個に保持するように設計されている。しかしながら、トップカフ１２２は、単一の取手又任意の好適な数の取手（例えば、３つの延在する取手）と、単一のクラブ仕切り又は様々な構成で配置された任意の好適な数のクラブ仕切りとを有してもよいことが分かるであろう。例えば、トップカフ１２２は、３個、４個、５個又は６個のスロット１３４があり、各スロットが複数のクラブを保持することができるように複数のクラブ仕切りを含むことができる。また、バッグ１２０は、バッグ１２０の後側面１３２から延在する後側取手１８４も備える（図５参照）。さらに、前側取手１８６が前側面１２６から延在している。取手１８０、１８２、１８４、１８６はバッグ１２０に固定され、全てがゴルフバッグ１２０の全重量、並びにバッグ１２０内に収納された備品を個別に支持することができ、それによって、取手１８０、１８２、１８４、１８６のそれぞれを個々に使用してゴルフバッグ１２０を移動させることができる。しかしながら、取手１８０、１８２、１８４、１８６は、２つの取手の任意の組み合わせによってゴルフバッグ１２０を快適且つ効率的に移動させるために同時に把持できるように設計される。例えば、上側取手１８０、１８２を同時に把持して長手方向軸「ａ」に沿って上方にゴルフバッグ１２０を容易に持ち上げて、ゴルフバッグ１２０をゴルフカート１００の後部１０２から容易に取り出すことができる。さらに、前側取手１８６を、上側取手１８０、１８２のいずれかと共に把持して、ゴルフバッグ１２０をその右側面又は左側面１２８、１３０に基づいて容易に回転させることができる。これは、例えばゴルファーがゴルフバッグ１２０を自身のゴルフカートのトランクに移動させたいときに有益な場合がある。
【００１８】
ここで図５を参照すると、ゴルフバッグ１２０が垂直位置に立つように固い地面１８８上に着座して示されている。ゴルフバッグ１２０は、ゴルフバッグ１２０の底部１２４を囲む硬質基部１９０を有する。硬質基部１９０は剛性材料であり、それによって基部１９０によりバッグ１２０を水平面に沿って安定に置くことができる。また、基部１９０は、バッグを地面１８８からわずかに上昇させた状態に保つように設計される。
【００１９】
例えば、ここで図７を参照すると、基部１９０の中心は幾分中空の凹部１９２を備えると共に、リム１９４が基部１９０の周囲に沿って延在しかつゴルフバッグ１２０の底部１２４から下方に延在する。複数の基部カバー脚部１９６がリム１９４からさらに下方に延在している。脚部１９６は、基部１９０と柔らかい地面との間に良好な把持面を与え、ゴルファーが脚部１９６を掘り下げてバッグ１２０を定位置に保つことを可能にする。さらに、脚部１９６及びリム１９４は、バッグ１２０の残りの部分を持ち上げるので、コースが濡れている場合にゴルフバッグ１２０を水たまりの中に置かないようにするのに役立つ。
【００２０】
ここで図５から６を参照すると、ゴルフバッグ１２０の後側面の斜視図及び着脱可能なショルダーハーネス２００がそれぞれ示されている。ゴルファーがバッグ１２０を少し遠距離に運びたいときに、バッグ１２０は肩に掛けて快適に運ばれるように設計される。この目的のために、ショルダーハーネス２００は、パッド付き中心部２０４から延在する上部結合ウエビング２０２ａと下部結合ウエビング２０２ｂとを備える。中心部２０４は、比較的厚いクッション材料から作製される。クッション部２０４は、バッグが良好に支持され、ゴルファーがバッグを快適に運ぶことができるように、ゴルファーの肩に載せられる。結合ウエビング２０２ａ、２０２ｂは、比較的薄い短繊維材料から作製され、最小限のパッドしか有しない又はパッドを有しない。ゴルフバッグ１２０の後側面１３２は、２つの結合部材２０６ａ、２０６ｂ又はクリップを備え、これらはショルダーハーネス２００をゴルフバッグ１２０に装着するためにストラップ２０２ａ、２０２ｂと結合するように動作可能である。ストラップ２０２ａ、２０２ｂを、任意の好適な結合手段によってバッグ１２０の本体に装着することができることが分かる。例えば、バッグ１２０は、ピボット式のＤ形リングなどの結合リングを含むことができる。ストラップ２０２ａ、２０２ｂは、ピボット式Ｄ形リングに着脱可能に装着することができるバネ付勢クリップを含むことができる。ショルダーハーネス２００がゴルフバッグ１２０に装着されると、ゴルファーは、パッド付中心部２０４をゴルファーの肩に置きバッグ１２０の重量を支えることができるようにゴルフバッグ１２０を自身の肩の一方に掛ける。この位置では、ゴルフバッグ１２０の後側面１３２は、通常、ゴルファーの背中に位置する。したがって、後側面１３２は、バッグ１２０が運ばれているときにバッグ１２０とゴルファーの背中との間のクッションとなるようにパッドが付けられる。特に、後側面１３２は、右側ヒップパッド及び左側ヒップパッド（図示せず）を備えていてもよい。ゴルフバッグ１２０を肩に掛けて運ぶときに、このヒップパッドはゴルファー又はキャディの尻部に位置して快適さと支持を提供する。
【００２１】
さらに図５を参照すると、また、後側面１３２は、長手方向軸「ａ」に沿って延在し、かつ、快適な把持のためのパッドを有する後側取手１８４も備える。後側取手１８４は、例えばゴルフカート１００上にゴルフバッグ１２０を置く際に、バッグ１２０を容易に持ち上げるようにゴルファーに把持されることができる。また、他の取手１８０、１８２、１８６を、ゴルフバッグ１２０を効率的に移動させるために後側取手１８４と共に把持することもできる。例えば、上側取手１８０、１８２は、ゴルファーがゴルフバッグ１２０を迅速に持ち上げる又は移動させることができるように便利に配置される。
【００２２】
ここで図２〜５を参照すると、ゴルフ用品の生産者は、ブランド名、商標、ロゴなどのデザインを作製した用品に付したいと望むことが多い。したがって、バッグ１２０の設計には、デザインを付すことができる複数の平坦面２２０、２２２、２２４、２２６が含まれる。例えば、右側面１２８、左側面１３０及びショルダーストラップ２００は、全て、ロゴを配置できる広い平坦領域２２２、２２４、２２６を有する。また、前側面１２６も、デザインを配置できる広い略平坦領域２２０を有する。
【００２３】
ここで図８を参照すると、左右の着脱可能なポケット２４０、２４２が示されている。これらのポケット２４０、２４２はバッグ１２０に容易に固定し又は取り外すことができる。例えば、両方のポケット２４０、２４２は、ボタンカプラー２４４、２４６を含み、これらをバッグ１２０のボタンカプラー２６０ａ、２６０ｂ、２６０ｃ、２６０ｄ（図示せず）に固定することができる（図３〜５を参照）。このように、ユーザは、自身が望むときに着脱可能な追加のポケットを設け又は取り外すことができる。ポケット２４０、２４２は、それぞれ、ジッパー軌道２４８、２５６を含む。ジッパー引手２５２、２５４は、それぞれのポケット２４０、２４２を開くようにそれぞれのジッパー軌道２４８、２５６に沿って動作可能である。
【００２４】
また、当業者であれば、別の実施形態において、いくつかの要素の機能をより少ない要素又は単一の要素によって実施できることも分かるであろう。同様に、いくつかの実施形態では、任意の機能要素は、図示された実施形態に関して説明したものよりも少ない又は異なる動作を実施してもよい。また、説明のために区別されて示されている機能要素（例えば、結合構造、軌道、スライダアセンブリ、バックルなど）を、特定の実施の際に他の機能要素内に取り入れてもよい。
【００２５】
本明細書に開示される全ての特許、特許出願及び他の参考文献は、参照によりその全体を明示的に援用される。本発明を好ましい実施形態に関連して説明してきたが、当業者であれば、特許請求の範囲によって示される本発明の精神又は範囲から逸脱することなく、様々な変更及び／又は修正が本発明になされることを容易に理解するであろう。例えば、それぞれの請求項は、本願出願時に特許請求されていなくても、複数の引用形式で任意の又は全ての請求項に従属することができる。
【符号の説明】
【００２６】
１００  ゴルフカート
１０２  後部
１０４  ステージングプラットフォーム
１０６  凹部
１０８  凹部
１１０  ハーネス
１１２  ハーネス
１２０  ゴルフバッグ
１２２  上部
１２４  底部
１２６  側面
１２８  側面
１３０  側面
１３２  側面
１３６  ポケット
１４０  ジッパー引手
１４４  ジッパー軌道
１４６  フラップ
１４８ａ  右側ポケット
１５２ａ  第１右側ポケットジッパー
１５４ａ  ジッパー軌道
１５６ａ  上方部分
１６０ａ  第１右側サブポケット
１６２ａ  第２右側サブポケット
１６６ａ  ジッパー軌道
１６８ａ  上方部分
【図１】
2018122088.tif 000003
【図２】
2018122088.tif 000004
【図３】
2018122088.tif 000005
【図４】
2018122088.tif 000006
【図５】
2018122088.tif 000007
【図６】
2018122088.tif 000008
【図７】
2018122088.tif 000009
【図８】
2018122088.tif 000010